(57)【要約】【課題】  装置間の配線のチェックを容易にする端子接続台および端子接続方法を提供する。【解決手段】  複数の端子ブロック１１を備える端子接続台１であって、端子ブロック１１は、絶縁性の本体１１Ａと、本体１１Ａに設けられ、互いに電気的に接続された複数の端子１１Ｄ〜１１Ｆと、本体１１Ａの対抗面にそれぞれ設けられ、別の本体を着脱可能に接続するための接続部１１Ｂ、１１Ｃとを備える。【選択図】  図３
2007165031.tif 000002
【特許請求の範囲】
【請求項１】
複数の端子ブロックを備える端子接続台であって、
前記端子ブロックは、
絶縁性の本体と、
前記本体に設けられ、互いに電気的に接続された複数の端子と、
前記本体の対抗面にそれぞれ設けられ、別の本体を着脱可能に接続するための接続部と、
を備えることを特徴とする端子接続台。
【請求項２】
前記端子に着脱可能であり、接続増設用、他形状の端子接続用、および各本体の端子間の短絡用の少なくとも１以上のアダプタを備えることを特徴とする請求項１に記載の端子接続台。
【請求項３】
前記本体は、Ｔ字状に形成され、３つの突出部の各端面側に前記端子がそれぞれ設けられていることを特徴とする請求項１または２に記載の端子接続台。
【請求項４】
請求項１〜３に記載のいずれかの端子接続台を用いた接続方法であって、
装置の各端子と別の装置の各端子との間をそれぞれ接続するときに、前記端子接続台を介在して各端子間を接続し、
接続に際して前記端子接続台の端子が不足するときに、前記接続部により前記端子ブロックを増設する、
ことを特徴とする端子接続方法。
【発明の詳細な説明】
【技術分野】
【０００１】
この発明は、各種の装置と装置との間を接続する端子接続台および端子接続方法に関する。
【背景技術】
【０００２】
装置として例えば測定器や試験装置を、別の装置として例えば被試験装置に接続するために、通常、リード線が使用される。例えば、図１１に示すように、被試験装置が地絡方向継電器１０１である場合、試験装置が電圧電流発生器１１１であり、測定器が位相計１２１、電圧計１２２、電流計１２３などであるとき、試験者は地絡方向継電器１０１、電圧電流発生器１１１、位相計１２１、電圧計１２２、および電流計１２３の各端子間を接続する。
【０００３】
電圧電流発生器１１１のＩ１端子とＩ２端子とは電流を出力する端子であり、Ｖ１端子とＶ２端子とは電圧を出力する端子である。位相計１２１の±端子とＡ端子とは電流を入出力する端子であり、±端子とＶ端子とは電圧を入力する端子である。位相計１２１は、±端子に入力された電流と、±端子とＶ端子に入力された電圧との位相を検出する。地絡方向継電器１０１は、電流が入力されるＣ１端子およびＣ２端子と、電圧が入力されるＰ１端子およびＰ２端子とを備え、電流、電圧、および、これらの位相を要素として動作する。テスタ１３１は地絡方向継電器１０１のリレー接点１０１Ａの動作を調べる。
【０００４】
これらの試験装置および被試験装置に対して、試験者は次ぎの接続作業を行う。試験者は、リード線２０１により電圧電流発生器１１１のＩ１端子と地絡方向継電器１０１のＣ１端子とを接続し、リード線２０２により電圧電流発生器１１１のＩ２端子と位相計１２１の±端子とを接続する。リード線２０３〜２０５により、電流計１２３と抵抗１２４との直列回路を、位相計１２１のＡ端子と地絡方向継電器１０１のＣ２端子との間に接続する。これにより、電流側の接続が終了する。
【０００５】
また、試験者は電圧側の接続を行う。試験者は、リード線２０６とリード線２０７とにより、電圧電流発生器１１１のＶ１端子およびＶ２端子を位相計１２１の±端子およびＶ端子にそれぞれ接続する。リード線２０８とリード線２０９とにより、位相計１２１の±端子およびＶ端子を地絡方向継電器１０１のＰ１端子およびＰ２端子にそれぞれ接続する。さらに、試験者は、リード線２１０とリード線２１１とにより、電圧計１２２を並列に電圧電流発生器１１１のＶ１端子とＶ２端子とに接続し、リード線２１２とリード線２１３とにより、地絡方向継電器１０１のリレー接点１０１Ａをテスタ１３１に接続する。
【０００６】
しかし、接続作業では、電圧電流発生器１１１のＶ１端子およびＶ２端子には、位相計１２１と電圧計１２２とが接続され、位相計１２１の±端子およびＶ端子には電圧電流発生器１１１と地絡方向継電器１０１とが接続される。例えば電圧電流発生器１１１のＶ１端子にリード線２０６とリード線２１０とを接続する場合、リード線２０６およびリード線２１０の先端に取り付けられている圧着端子を、電圧電流発生器１１１のＶ１端子のネジにより固定する。つまり、２つの圧着端子を同時にＶ１端子にネジ止めをする作業が必要であるために作業性が悪い。この点を改善するために、例えば３ヶ所に端子が形成された端子台がある（例えば、特許文献１参照）。こうした端子台を電圧電流発生器１１１や位相計１２１に組み込むことにより、２本のリード線を同時に接続する作業が行い易くなる。
【特許文献１】実開平５−１５３３８号公報
【発明の開示】
【発明が解決しようとする課題】
【０００７】
しかし、例えば図１１の地絡方向継電器１０１を試験する場合、接続作業が終了した後で各接続に誤配線がないかどうかをチェックするとき、リード線２０１〜２１３を配線に用いているので、各リード線を目視で追う配線のチェックが容易ではない。
【０００８】
例えば電圧側では、電圧電流発生器１１１のＶ１端子およびＶ２端子には電圧計１２２が並列に接続され、同じく、位相計１２１の±端子およびＶ端子には電圧電流発生器１１１のＶ１端子およびＶ２端子と地絡方向継電器１０１のＰ１端子およびＰ２端子とが並列に接続されている。このために、配線チェックは、例えば、電圧計１２２のリード線２１０から行う場合、リード線２１０が電圧電流発生器１１１のＶ１端子に接続されていることを確認し、電圧電流発生器１１１のＶ１端子からのリード線２０６が位相計１２１の±端子に接続されていることを確認し、さらに、位相計１２１の±端子からのリード線２０９が地絡方向継電器１０１のＰ１端子に接続されていることを確認する。つまり、試験者は目視により、各リード線２１０、２０６、２０９が正しく接続されていることを順に確認していく作業を行う。この場合、例えばリード線が交差して、確認途中でリード線を見失うと、最初から確認作業を行う必要があり、配線のチェックが容易ではない。特に、被測定装置が３相交流用である場合、リード線の配線がより複雑になり、配線のチェックがさらに困難になる。電流側の配線をチェックする場合も電圧側と同様に、各リード線が正しく接続されているかどうかを目視で順に確認していく作業を行うので、配線のチェックが容易ではない。
【０００９】
この発明の目的は、前記の課題を解決し、装置間の配線のチェックを容易にする端子接続台および端子接続方法を提供することにある。
【課題を解決するための手段】
【００１０】
前記の課題を解決するために、請求項１の発明は、複数の端子ブロックを備える端子接続台であって、前記端子ブロックは、絶縁性の本体と、前記本体に設けられ、互いに電気的に接続された複数の端子と、前記本体の対抗面にそれぞれ設けられ、別の本体を着脱可能に接続するための接続部とを備えることを特徴とする端子接続台である。
【００１１】
請求項１の発明では、端子接続台が複数の端子ブロックで形成される。そして、各端子ブロックは、互いに電気的に接続された複数の端子と、別の端子ブロックを着脱可能に接続するための接続部とを備えている。
【００１２】
請求項２の発明は、請求項１に記載の端子接続台において、前記端子に着脱可能であり、接続増設用、他形状の端子接続用、および各本体の端子間の短絡用の少なくとも１以上のアダプタを備えることを特徴とする。
【００１３】
請求項３の発明は、請求項１または２に記載の端子接続台において、前記本体は、Ｔ字状に形成され、３つの突出部の各端面側に前記端子がそれぞれ設けられていることを特徴とする。
【００１４】
請求項４の発明は、請求項１〜３に記載のいずれかの端子接続台を用いた接続方法であって、装置の各端子と別の装置の各端子との間をそれぞれ接続するときに、前記端子接続台を介在して各端子間を接続し、接続に際して前記端子接続台の端子が不足するときに、前記接続部により前記端子ブロックを増設することを特徴とする端子接続方法である。
【発明の効果】
【００１５】
請求項１および請求項４の発明によれば、各端子ブロックが複数の端子、特に３つ以上の端子を持つ場合、各装置の各端子間をリード線で接続するとき、複数のリード線を同時に端子ブロックに接続して、端子接続台が各装置間に介在する接続にすることができる。これにより、各リード線が正しく接続されているかどうかをチェックする場合、装置の端子と端子接続台との間のリード線が正常に接続されているかどうかを目視でチェックすればよいので、従来のように目視で順にリード線を確認していく作業を不要にし、配線のチェックを容易にする。かつ、端子ブロックの本体が接続部を備えているので、装置の数や端子の数の増加に応じて、端子接続台に対して端子ブロックを増設し、接続作業に応じた端子接続台を形成することができる。
【００１６】
請求項２の発明により、各種アダプタを用意することができるので、端子の増設、他形状の端子の接続、端子間の短絡接続を必要とする作業に対して応じた幅広い接続を可能にする。
【００１７】
請求項３の発明により、本体がＴ字状であり、この本体の突出部に端子を設けたので、端子接続台を置いたときの安定性を向上させることができる。
【発明を実施するための最良の形態】
【００１８】
次に、この発明の実施の形態について、図面を用いて詳しく説明する。図１は、この実施の形態による端子接続台１を示す斜視図である。端子接続台１は、複数の端子ブロック１１を備えている。端子ブロック１１は、図２（ａ）および図２（ｂ）に示すように、側面１１Ａ1および側面１１Ａ2がＴ字状の本体１１Ａを備え、本体１１Ａは絶縁体で作られている。なお、図２（ｂ）は図２（ａ）を矢印Ａ方向つまり右側面から見た端子ブロック１１の斜視図である。本体１１ＡがＴ字状であるので、このＴ字の長辺部分を設置側にすれば、端子接続台１の安定した設置が可能である。側面１１Ａ1には、立方体状の突起部１１Ｂが設けられ、側面１１Ａ2には、突起部１１Ｂと嵌合する溝部１１Ｃ設けられている。端子接続台１は、突起部１１Ｂと溝部１１Ｃとの嵌合により、複数の端子ブロック１１が連結されたものである。
【００１９】
端子ブロック１１のＴ字状の本体１１Ａには、図３に示すように、３つの突出部の各端面１１Ａ3〜１１Ａ5が形成されている。本体１１Ａには、端子としてジャック部１１Ｄ〜１１Ｆが設けられている。ジャック部１１Ｄ〜１１Ｆは、リード線２２１の先端に接続されたバナナプラグ２２２と電気的接続をするものであり、金属で作られた円筒状のものである。例えばリード線２２１の先端にバナナプラグ２２２が取り付けられているとき、バナナプラグ２２２が差し込まれるジャック部１１Ｄ〜１１Ｆの開口１１Ｄ1〜１１Ｆ1が、本体１１Ａの端面１１Ａ3〜１１Ａ5に空けられている。開口１１Ｄ1〜１１Ｆ1はバナナプラグ２２２を差し込むための端子挿入口である。開口１１Ｄ1〜１１Ｆ1と向かい合うジャック部１１Ｄ〜１１Ｆの底部分１１Ｄ2〜１１Ｆ2は、金属製のＴ字状の連結具１１Ｇによって連結されている。これにより、ジャック部１１Ｄ〜１１Ｆは電気的に接続されている。
【００２０】
複数の端子ブロック１１が連結されたとき、各端子ブロック１１の開口１１Ｄ1〜１１Ｆ1の間隔Ｌ（図１）が一定になるように、端子ブロック１１の厚みがあらかじめ設定されている。
【００２１】
この実施の形態では、端子接続台１に各種のアダプタが付属している。例えば図４に示す短絡用アダプタ２１がある。短絡用アダプタ２１は、絶縁材料で作られた直方体状の本体２１Ａに３つのバナナプラグ２１Ｂが設けられている。隣接するバナナプラグ２１Ｂの間隔は、端子ブロック１１の開口１１Ｄ1〜１１Ｆ1の間隔Ｌと同じである。各バナナプラグ２１Ｂは本体２１Ａの内部で、金属製の連結具２１Ｃによって連結されている。短絡用アダプタ２１は、端子接続台１の端子ブロック１１に差し込まれると、これらの端子ブロック１１を短絡する。また、図４の短絡用アダプタ２１では３つのバナナプラグ２１Ｂが設けられているが、バナナプラグ２１Ｂの数は２つ以上であればよい。
【００２２】
アダプタには図５に示す他形状端子接続用アダプタ２２がある。他形状端子接続用アダプタ２２は、絶縁材料で作られた直方体状の本体２２Ａにバナナプラグ２２Ｂが設けられ、バナナプラグ２２Ｂと向かい合うようにターミナル２２Ｃが設けられている。ターミナル２２Ｃは本体２２Ａの内部でバナナプラグ２２Ｂに電気的に接続されている。ターミナル２２Ｃは、ネジ止めにより端子を接続して固定するものであり、各種形状のＹラグ端子３０１、３０２に対応している。
【００２３】
アダプタには図６に示す接続点増設用アダプタ２３がある。接続点増設用アダプタ２３は、絶縁材料で作られた直方体状の本体２３Ａにバナナプラグ２３Ｂが設けられ、バナナプラグ２３Ｂと向かい合うように、Ｕ字状のジャック部２３Ｃが設けられている。ジャック部２３Ｃは、本体２３Ａの内部でバナナプラグ２３Ｂと電気的に接続されている。ジャック部２３Ｃは金属製の管体であり、ジャック部２３Ｃの２つの開口が本体２３Ａの表面に空けられている。ジャック部２３Ｃの各開口には、バナナプラグ３１１が差し込み可能であり、接続点増設用アダプタ２３は、１つのバナナプラグ２３Ｂに対して２つのバナナプラグ３１１の接続を可能にしている。
【００２４】
この実施の形態では短絡用アダプタ２１、他形状端子接続用アダプタ２２、接続点増設用アダプタ２３が付属しているので、例えば短絡用アダプタ２１や接続点増設用アダプタ２３を用いて接続点を増設すること、短絡用アダプタ２１を用いて電流回路を短絡することや、他形状端子接続用アダプタ２２を用いて別形状の端子を接続可能にすることができるので、各種の接続作業に応じた幅広い端子接続台１を形成することができる。
【００２５】
この実施の形態による端子接続台１は以上の構造である。この端子接続台１は次のようにして用いられる。例えば図１１と同様に、被試験装置が地絡方向継電器１０１である場合、試験装置が電圧電流発生器１１１であり、測定器が位相計１２１、電圧計１２２、電流計１２３などであるとき、地絡方向継電器１０１、電圧電流発生器１１１、位相計１２１、電圧計１２２、および電流計１２３の各端子間の接続は次ぎのとおりである。図７に示すように、リード線２０１〜２０５を用いた電流側の接続は先に説明した図１１と同様である。なお、図１１と同一もしくは同一と見なされる構成要素にはそれと同じ参照符号を付けて、その説明を省略する。
【００２６】
電圧側の接続には端子接続台１を用いる。なお、図７では、図１の端子ブロック１１を４つ用いて端子ブロック１１1〜１１4としている。測定に際して、端子接続台１の端子ブロック１１1、１１2および端子ブロック１１3、１１4は、図４のバナナプラグ２１Ｂを２つ用いた短絡用アダプタ２１により短絡されている。この後、リード線２３１およびリード線２３２の一端を電圧電流発生器１１１のＶ１端子およびＶ２端子にそれぞれ接続し、バナナプラグが接続されているリード線２３１、２３２の他端を端子ブロック１１3、１１2にそれぞれ差し込む。同様にして、リード線２３３およびリード線２３４の一端を位相計１２１の±端子およびＶ端子にそれぞれ接続し、リード線２３３、２３４の他端を端子ブロック１１4、１１1にそれぞれ差し込む。リード線２３５およびリード線２３６の一端を地絡方向継電器１０１のＰ１端子およびＰ２端子にそれぞれ接続し、リード線２３５、２３６の他端を端子ブロック１１4、１１1にそれぞれ差し込む。リード線２３７、２３８の一端を電圧計１２２にそれぞれ接続し、リード線２３７、２３８の他端を端子ブロック１１2、１１3にそれぞれ差し込む。つまり、この実施の形態では、電圧側の接続にすべて端子接続台１が介在している。
【００２７】
こうして電圧側の接続が行われる。この後、配線のチェックを行う場合、電圧電流発生器１１１のＶ１端子からのリード線２３１、位相計１２１の±端子からのリード線２３３、地絡方向継電器１０１のＰ１端子からのリード線２３５、および電圧計１２２からのリード線２３８が、互いに短絡されている端子ブロック１１3、１１4のいずれかに接続されているかどうかを確認する。この確認は、目視によりリード線を順に確認していく作業と異なり、例えばリード線２３１が電圧電流発生器１１１のＶ１端子と端子ブロック１１3との間に接続されているかどうかを目視で確認するだけでよいので、確認作業は容易である。つまり、リード線２３１〜２３８による接続には端子接続台１が介在しているので、地絡方向継電器１０１、電圧電流発生器１１１、位相計１２１、および電圧計１２２と端子接続台１との間の接続を確認すればよく、リード線を順に追って確認する作業を不要にして、目視による確認作業を容易する。また、例えばリード線２３１を見失うことがあっても、再度、リード線２３１だけの接続を確認すればよいので、配線のチェックを最初から行うことを不要にし、目視による確認作業をさらに容易にしている。また、使用する測定器が増えた場合や３相交流の測定を行う場合などは、端子接続台１に対して端子ブロック１１を容易に増やすことができるので、接続作業に応じた端子接続台１の使用が可能である。さらに、必要に応じて端子接続台１を分割することも可能である。例えば図７の場合、端子ブロック１１2と端子ブロック１１3との間を分離することにより、電圧電流発生器１１１のＶ１端子に接続される回路と、Ｖ２端子に接続される回路とに分離されるので、目視による配線のチェックを行いやすくすることができる。この他にも、配線やチェックに応じて、端子接続台１の分割統合が可能である。
【００２８】
ところで、端子接続台１を用いて図７の電流計１２３を含む回路を接続する場合を説明する。図８に示すように、電流側の接続にも端子接続台１を用いる。なお、図８では、説明の都合上、図１の６つの端子ブロック１１の中の３つの端子ブロック１１を用い、これらを端子ブロック１１11〜１１13としている。図７と同様に、リード線２４１の一端を位相計１２１のＡ端子に接続し、他端を端子ブロック１１11に差し込む。リード線２４２、２４３により電流計１２３を端子ブロック１１11、１１12に接続し、リード線２４５、２４６により抵抗１２４を端子ブロック１１12、１１13に接続する。リード線２４７により、地絡方向継電器１０１のＣ２端子を端子ブロック１１13に接続する。つまり、電圧側の接続と同様に、電流側でも接続にすべて端子接続台１が介在している。
【００２９】
こうして電流側の接続が行われる。この後、配線のチェックを行う場合、位相計１２１のＡ端子からのリード線２４１および電流計１２３からのリード線２４２が端子ブロック１１11に接続されているかどうかを目視で確認する。同様に、電流計１２３からのリード線２４３および抵抗１２４からのリード線２４５が端子ブロック１１12に接続されているかどうか、また、抵抗１２４からのリード線２４６が端子ブロック１１13に接続されているかどうかを確認する。この場合には端子接続台１に対する電流計１２３および抵抗１２４の接続により、電流計１２３と抵抗１２４との直列回路が、端子ブロック１１1〜１１13を介在して接続されているので、リード線２４２〜２４６の接続を個別に確認するだけでよく、目視より容易に確認することができる。こうした確認は、電流計１２３を含む接続が端子接続台１に集中しているので、電圧側の配線のチェックと同様に、リード線を順に確認することを不要にして、目視による確認作業を容易する。例えばリード線２４１による接続を確認する場合、リード線２４１が位相計１２１のＡ端子と端子ブロック１１11との間に接続されているかどうかを確認するだけでよいので、目視による確認作業は容易である。また、リード線２４１を見失うことがあっても、再度、リード線２４１だけの接続を確認すればよいので、配線のチェックを最初から行うことを不要にし、確認作業をさらに容易にしている。他のリード線の確認作業も同様である。
【００３０】
以上、この発明の実施の形態を詳述してきたが、具体的な構成はこの実施の形態に限られるものではなく、この発明の要旨を逸脱しない範囲の設計の変更等があっても、この発明に含まれる。例えば、端子接続台１はバナナプラグによる接続であったが、各リード線の先端にＹラグ端子を取り付け、この端子をネジ止めする構造であってもよい。その他各種の接続方式が端子接続台１に適用可能である。また、端子接続台１の端子ブロック１１を例えば３相交流の位相別に色分けして用いてもよい。この場合には、目視による配線のチェックがさらに容易になる。さらに、端子ブロック１１には、３つのジャック部１１Ｄ〜１１Ｆを設けたが、ジャック部の数はこれに限定されることはない。例えば、図９に示すように、図３のジャック部１１Ｆを２つ並べて設けてもよい。この場合には、連結具１１Ｇが２つのジャック部１１Ｆと残りのジャック部１１Ｄ、１１Ｅとを電気的に接続する。こうすることにより接続点を増やすことができる。図９に示す端子ブロックを用いることにより、例えば図７に示す電圧側の接続は、接続点の増加で端子ブロック数を少なくし、かつ短絡用アダプタ２１を省略して図１０に示すように簡略化され、さらに配線のチェックを容易にする。なお、図１０では、図９の端子ブロックを端子ブロック１１21、１１22としている。
【図面の簡単な説明】
【００３１】
【図１】この発明の実施の形態による端子接続台を示す斜視図である。
【図２】端子ブロックを示す斜視図であり、（ａ）は端子ブロックを左側面から見た斜視図、（ｂ）は端子ブロックを右側面から見た斜視図である。
【図３】図２（ａ）のＩ−Ｉ断面を示す断面図である。
【図４】短絡用アダプタを示す斜視図である。
【図５】他形状端子接続用アダプタを示す斜視図である。
【図６】接続点増設用アダプタを示す斜視図である。
【図７】端子接続台を用いた電圧側の接続を説明する説明図である。
【図８】端子接続台を用いた電流側の接続を説明する説明図である。
【図９】端子ブロックの変形例を示す断面図である。
【図１０】図９の端子ブロックによる端子接続台を用いた電流側の接続を説明する説明図である。
【図１１】被試験装置に対する試験装置などの従来の接続を説明する説明図である。
【符号の説明】
【００３２】
１  端子接続台
１１  端子ブロック
１１1〜１１6  端子ブロック
１１Ａ  本体
１１Ｂ  突起部（接続部）
１１Ｃ  溝部（接続部）
１１Ｄ〜１１Ｆ  ジャック部
１１Ｇ  連結具
２１  短絡用アダプタ
２２  他形状端子接続用アダプタ
２３  接続点増設用アダプタ
１０１  地絡方向継電器
１１１  電圧電流発生器
１２１  位相計
１２２  電圧計
１２３  電流計
１２４  抵抗
１３１  テスタ
【図１】
2007165031.tif 000003
【図２】
2007165031.tif 000004
【図３】
2007165031.tif 000005
【図４】
2007165031.tif 000006
【図５】
2007165031.tif 000007
【図６】
2007165031.tif 000008
【図７】
2007165031.tif 000009
【図８】
2007165031.tif 000010
【図９】
2007165031.tif 000011
【図１０】
2007165031.tif 000012
【図１１】
2007165031.tif 000013